Podtech/llm-jp-corpus-v4-ja_patent huggingface dataset:
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
シートベルトを巻き取り且つ巻き戻すためのベルトリール（２０）と、該ベルトリールの外側に配置されており且つ第１のバー端部においてギア装置（４０）を介して前記ベルトリール（２０）に及び第２のバー端部（３２）において切替式固定装置に接続されたトーションバーとを備えるシートベルト用のベルト巻取装置であって、
前記切替式固定装置は、ある状態では、前記バー端部（３２）を回転方向に固定されるように保持し、別の状態では、前記バー端部（３２）の回転を可能にし、
前記切替式固定装置は、ピストン部分を用いて、ロック位置において、第２のバー端部（３２）を回転体に対して固定し、前記ロック位置に対して移動したロック解除位置において、前記バー端（３２）を解除するような移動可能なピストンを有する、
ベルト巻取装置。
【請求項２】
前記固定装置は、作動されたときに、ガスを発生させ、このガス圧により、前記ピストンを前記ロック位置から前記ロック解除位置に直進方式で移動させるようなガス発生器を有する、
請求項１に記載のベルト巻取装置。
【請求項３】
前記切替式固定装置は、内部ガス管を含むハウジングを有しており、前記内部ガス管によって、前記ハウジング内の２つのハウジング開口部（６２，６３）を互いに接続しており、且つ直線状の部分となり、
前記ピストン全体又は前記ピストンの少なくとも内側ピストン部分が、前記ガス管の直線状部分に軸線方向に導かれており、且つ
ガス発生器が作動した後に、前記ガス発生器のガスが、前記ピストンの方向に導かれ、前記ピストンは、前記ガス管の直線状部分において直進方式で専ら移動される、
請求項１又は２に記載のベルト巻取装置。
【請求項４】
ハウジングの外側に位置する外側ピストン部分において、前記ピストンは、該ピストンのロック位置において、ロックピンが係合するようなスロット状凹部又はスロット状の穴（８２）を有しており、前記ロックピンは、前記ロック解除位置の方向への前記ピストンの軸線方向移動を阻止する又は少なくとも制限し、
前記ロックピンは、前記ガス発生器が作動されたときに、前記ロックピンが、前記ピストンによるせん断力を受けて破断するように寸法決めされる、
請求項１乃至３のいずれか一項に記載のベルト巻取装置。
【請求項５】
前記ロックピンは、前記トーションバーの回転軸の位置を前記バー端部（３２）の領域に弾性的に固定するような位置決め要素に一体的に形成される、
請求項４に記載のベルト巻取装置。
【請求項６】
前記ピストンは、ガス発生器に対向する側と該ガス発生器とは反対側を向いた側との間に、特に前記ピストンの内側ピストン部分の領域において、前記ピストンのロック解除位置に到達した後に、ばね要素（６１）が、前記ロック解除位置から前記ロック位置への前記ピストンの戻り運動が防止されるように係合するような凹部（８６）を有する、
請求項１乃至５のいずれか一項に記載のベルト巻取装置。
【請求項７】
ばね要素（６１）が、ハウジングに対して又は該ハウジング上に又は該ハウジング内に取り付けられる、或いは前記ハウジングに対して又は該ハウジング上に又は該ハウジング内に一体的に形成され、ばね要素は、ガス発生器が作動される前に、前記ロック位置から前記ロック解除位置に軸線方向への前記ピストンの移動を阻止又は少なくとも妨げる、
請求項１乃至６のいずれか一項に記載のベルト巻取装置。
【請求項８】
凹部（８６）は、傾斜形状であり、急勾配の逃げ面及び緩勾配の逃げ面（８６ａ，８６ｂ）を有しており、
前記緩勾配の逃げ面（８６ａ）は、前記急勾配の逃げ面（８６ｂ）よりもガス発生器（７０）寄りに位置する、
請求項１乃至７のいずれか一項に記載のベルト巻取装置。
【請求項９】
ハウジングは、ガス発生器が作動され、前記ピストン又は少なくとも内側ピストン部分を、ハウジングの外に少なくとも部分的に軸線方向に押し出すようなハウジング開口部（６２）を有しており、
前記ハウジングの変形可能な端部が、前記ハウジング開口部（６２）の領域に配置されており、該端部は、前記ハウジング開口部内に突出しており、ばね要素（６１）として作動し、且つ前記ガス発生器が作動する前に、前記ロック位置から前記ロック解除位置への軸線方向の前記ピストンの移動を阻止又は妨げ、前記ピストンが移動した後に、戻り運動を防止する、
請求項１乃至８のいずれか一項に記載のベルト巻取装置。
【請求項１０】
前記ハウジングに関して前記ピストンを密封するシールは、前記ガス発生器に対向する前記ピストンのピストン側（８８）に装着される、
請求項１乃至９のいずれか一項に記載のベルト巻取装置。
【請求項１１】
前記バー端部（３２）は、前記ピストンの相補的なインターロック接続部（８１）がロック位置で係合するとともに、前記ピストンの相補的なインターロック接続部がロック解除位置において分離されるようなインターロック接続部（８６）を有する、
請求項１乃至１０のいずれか一項に記載のベルト巻取装置。
【請求項１２】
前記ピストンは、前記トーションバーを阻止するような前記ピストンの位置にあるときに、すなわちガス発生器がトリガされる前に、前記ハウジング内のハウジング穴（４１０）にラッチされるととともに、ガス発生器がトリガされた後に、前記ピストンが前記トーションバーを解除するピストンの位置から阻止位置内に再び移動するのを防止するようなスナップ式フック（４００）を有する、
請求項１乃至１１のいずれか一項に記載のベルト巻取装置。
【請求項１３】
前記ピストンは、少なくとも２つの部分であり、互いに接続された少なくとも２つの部品を有する、すなわち少なくとも１つのピストン基体と少なくとも１つの挿入部品とを有する、
請求項１乃至１２のいずれか一項に記載のベルト巻取装置。
【請求項１４】
前記ピストン基体は、プラスチックから構成されており、前記挿入部品は金属から構成されている、
請求項１３に記載のベルト巻取装置。
【請求項１５】
シール、特にプラスチック製又はゴム製シールが、前記ガス発生器に対向する前記ピストン基体のピストン端部において、一体物として一体的に、特に射出成形で形成される、
請求項１３又は１４に記載のベルト巻取装置。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
プロセッサが、目標脳状態に対応する目標周波数を決定するステップと、
前記プロセッサが、ユーザーにおいて前記目標脳状態の達成を試みるために、
前記ユーザーに結合された１以上のセンサーから受信される前記ユーザーの脳の電気出力を測定するステップと、
前記測定された電気出力に基づいて、前記ユーザーの前記脳に関連付けられる現在の周波数を決定するステップと、
前記ユーザーの前記脳に関連付けられる前記現在の周波数と前記目標周波数との差を決定するステップと、
前記現在の周波数と前記目標周波数との前記差が所定量より大きいという決定に基づき、前記ユーザーの前記脳に関連付けられる前記現在の周波数を前記目標周波数に向けて修正可能な周波数を有する１以上の信号を、前記ユーザーの前記脳に、複数の異なる種類の刺激装置を通じて送出するステップであって、前記複数の異なる種類の刺激装置は光学装置及び可聴装置を含み、前記１以上の信号は、前記光学装置及び前記可聴装置を通じて同時に送出される、ステップと、
を１回以上繰り返すことにより、フィードバックを用いて前記ユーザーの前記脳を刺激するステップと、
を含む方法。
【請求項２】
前記刺激装置のうち１つは、電磁気的刺激装置である、
請求項１に記載の方法。
【請求項３】
前記目標周波数は、ユーザーデバイスからの、前記目標脳状態のユーザー選択を示すデータに基づいて決定される、
請求項１に記載の方法。
【請求項４】
前記プロセッサが、前記１以上の信号を、前記１以上の信号のうち個別の１以上をそれぞれ特定する個別の符号で符号化するステップと、
前記プロセッサが、前記符号に基づいて、前記ユーザーの前記脳の前記電気出力から前記１以上の信号をフィルタリングするステップと、
を更に含む、請求項１に記載の方法。
【請求項５】
それぞれ特定の脳状態に対応する複数の周波数を備えるデータベースに前記目標周波数を格納するステップ、
を更に含む、請求項１に記載の方法。
【請求項６】
ロジックを備える非一時的なコンピューター可読媒体であって、
前記ロジックは、
目標脳状態に対応する目標周波数を決定するステップと、
ユーザーにおいて前記目標脳状態の達成を試みるために、
前記ユーザーに結合された１以上のセンサーから受信される前記ユーザーの脳の電気出力を測定するステップと、
前記測定された電気出力に基づいて、前記ユーザーの前記脳に関連付けられる現在の周波数を決定するステップと、
前記ユーザーの前記脳に関連付けられる前記現在の周波数と前記目標周波数との差を決定するステップと、
前記現在の周波数と前記目標周波数との前記差が所定量より大きいという決定に基づき、前記ユーザーの前記脳に関連付けられる前記現在の周波数を前記目標周波数に向けて修正可能な周波数を有する１以上の信号を、前記ユーザーの前記脳に、複数の異なる種類の刺激装置を通じて送出するステップであって、前記複数の異なる種類の刺激装置は光学装置及び可聴装置を含み、前記１以上の信号は、前記光学装置及び前記可聴装置を通じて同時に送出される、ステップと、
を１回以上繰り返すことにより、フィードバックを用いて前記ユーザーの前記脳を刺激するステップと、
を実行するように動作可能である、
コンピューター可読媒体。
【請求項７】
前記刺激装置のうち１つは、電磁気的刺激装置である、
請求項６に記載のコンピューター可読媒体。
【請求項８】
前記目標周波数は、ユーザーデバイスからの、前記目標脳状態のユーザー選択を示すデータに基づいて決定される、
請求項６に記載のコンピューター可読媒体。
【請求項９】
前記ロジックは更に、
前記１以上の信号を、前記１以上の信号のうち個別の１以上をそれぞれ特定する個別の符号で符号化するステップと、
前記符号に基づいて、前記ユーザーの前記脳の前記電気出力から前記１以上の信号をフィルタリングするステップと、
を実行するように動作可能である、
請求項６に記載のコンピューター可読媒体。
【請求項１０】
前記ロジックは更に、それぞれ特定の脳状態に対応する複数の周波数を備えるデータベースに前記目標周波数を格納するように動作可能である、
請求項６に記載のコンピューター可読媒体。
【請求項１１】
メモリと、
前記メモリに通信可能に結合される１以上のプロセッサと、
を備えるシステムであって、
前記１以上のプロセッサは、
目標脳状態に対応する目標周波数を決定するステップと、
ユーザーにおいて前記目標脳状態の達成を試みるために、
前記ユーザーに結合された１以上のセンサーから受信される前記ユーザーの脳の電気出力を測定するステップと、
前記測定された電気出力に基づいて、前記ユーザーの前記脳に関連付けられる現在の周波数を決定するステップと、
前記ユーザーの前記脳に関連付けられる前記現在の周波数と前記目標周波数との差を決定するステップと、
前記現在の周波数と前記目標周波数との前記差が所定量より大きいという決定に基づき、前記ユーザーの前記脳に関連付けられる前記現在の周波数を前記目標周波数に向けて修正可能な周波数を有する１以上の信号を、前記ユーザーの前記脳に、複数の異なる種類の刺激装置を通じて送出するステップであって、前記複数の異なる種類の刺激装置は光学装置及び可聴装置を含み、前記１以上の信号は、前記光学装置及び前記可聴装置を通じて同時に送出される、ステップと、
を１回以上繰り返すことにより、フィードバックを用いて前記ユーザーの前記脳を刺激するステップと、
を実行するように動作可能である、
システム。
【請求項１２】
前記刺激装置のうち１つは、電磁気的刺激装置である、
請求項１１に記載のシステム。
【請求項１３】
前記１以上のプロセッサは更に、
前記１以上の信号を、前記１以上の信号のうち個別の１以上をそれぞれ特定する個別の符号で符号化するステップと、
前記符号に基づいて、前記ユーザーの前記脳の前記電気出力から前記１以上の信号をフィルタリングするステップと、
を実行するように動作可能である、
請求項１１に記載のシステム。
【請求項１４】
前記１以上のプロセッサは更に、それぞれ特定の脳状態に対応する複数の周波数を備えるデータベースに前記目標周波数を格納するように動作可能である、
請求項１１に記載のシステム。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な特定状態に制御可能な遊技機であって、
遊技の進行を制御する遊技制御手段と、
前記遊技制御手段から送信されるコマンドにもとづいて演出の実行を制御する演出制御手段とを備え、
前記遊技制御手段は、
識別情報の可変表示に関する可変表示関連コマンドおよび所定コマンドを送信するコマンド送信手段と、
識別情報の可変表示の回数が所定回数になるまで遊技者にとって有利な有利状態に制御する状態制御手段とを含み、
前記演出制御手段は、
前記可変表示関連コマンドにもとづいて識別情報の可変表示を実行する可変表示実行手段と、
前記有利状態において、前記可変表示関連コマンドにもとづいて、識別情報の可変表示の回数が前記所定回数になるまでの残余回数を更新する更新手段と、
前記更新手段による更新結果を報知する報知手段とを含み、
前記可変表示実行手段は、
通常状態に制御されているときに、前記可変表示関連コマンドが正常に受信された場合、前記所定コマンドが正常に受信されなくても、識別情報の可変表示を実行する一方、
前記有利状態に制御されているときに、前記可変表示関連コマンドが正常に受信された場合、前記所定コマンドが正常に受信されたことを条件に、識別情報の可変表示を実行し、
前記有利状態に制御されているときに、前記可変表示関連コマンドが正常に受信され、前記所定コマンドが正常に受信されない場合、識別情報を揺動表示し、
前記更新手段は、前記有利状態に制御されているときに、前記可変表示関連コマンドが正常に受信された場合、前記所定コマンドが正常に受信されなくても、前記残余回数を更新する
ことを特徴とする遊技機。
【手続補正２】
【補正対象書類名】明細書
【補正対象項目名】０００１
【補正方法】変更
【補正の内容】
【０００１】
本発明は、識別情報の可変表示を行い、遊技者にとって有利な特定状態に制御可能な遊技機に関する。
【手続補正３】
【補正対象書類名】明細書
【補正対象項目名】０００９
【補正方法】変更
【補正の内容】
【０００９】
そこで、本発明は、実際の回数と、報知している回数との間に不整合が生じることを抑制できる遊技機を提供することを目的とする。
【手続補正４】
【補正対象書類名】明細書
【補正対象項目名】００１０
【補正方法】変更
【補正の内容】
【００１０】
（手段１）本発明による遊技機は、識別情報（例えば、第１特別図柄または第２特別図柄）の可変表示を行い、遊技者にとって有利な特定状態（例えば、大当り遊技状態）に制御可能な遊技機であって、遊技の進行を制御する遊技制御手段（例えば、遊技制御用マイクロコンピュータ５６０）と、遊技制御手段から送信されるコマンドにもとづいて演出の実行を制御する演出制御手段（例えば、演出制御用マイクロコンピュータ１００）とを備え、遊技制御手段は、識別情報の可変表示に関する可変表示関連コマンド（例えば、変動パターンコマンド）および所定コマンド（例えば、背景指定コマンド、表示結果指定コマンド）を送信するコマンド送信手段（例えば、遊技制御用マイクロコンピュータ５６０におけるステップＳ６０，Ｓ１０２，Ｓ１０７〜Ｓ１０９を実行する部分）と、識別情報の可変表示の回数が所定回数（例えば、５０回）になるまで遊技者にとって有利な有利状態（例えば、確変状態）に制御する状態制御手段（例えば、遊技制御用マイクロコンピュータ５６０におけるステップＳ１６７，Ｓ１６８を実行する部分）とを含み、演出制御手段は、可変表示関連コマンドにもとづいて識別情報の可変表示を実行する可変表示実行手段（例えば、演出制御用マイクロコンピュータ１００におけるＳ８０１〜Ｓ８０３を実行する部分）と、有利状態において、可変表示関連コマンドにもとづいて、識別情報の可変表示の回数が所定回数になるまでの残余回数（例えば、残余確変回数Ｋ）を更新する更新手段（例えば、演出制御用マイクロコンピュータ１００におけるステップＳ３３０１を実行する部分）と、更新手段による更新結果を報知する報知手段（例えば、演出制御用マイクロコンピュータ１００におけるステップＳ３３０２を実行する部分）とを含み、可変表示実行手段は、通常状態に制御されているときに、可変表示関連コマンドが正常に受信された場合、所定コマンドが正常に受信されなくても、識別情報の可変表示を実行する（例えば、ステップＳ２６０１のＮである場合、表示結果指定コマンドおよび背景指定コマンドを受信したか否かにかかわらずステップＳ８００１〜Ｓ８００８を実行する）一方、有利状態に制御されているときに、可変表示関連コマンドが正常に受信された場合、所定コマンドが正常に受信されたことを条件に、識別情報の可変表示を実行し（例えば、ステップＳ２６０１のＹである場合、表示結果指定コマンドおよび背景指定コマンドを受信したことを条件に（ステップＳ２６０２のＹ，Ｓ２６０４のＹ）ステップＳ８００１〜Ｓ８００８を実行する）、有利状態に制御されているときに、可変表示関連コマンドが正常に受信され、所定コマンドが正常に受信されない場合、識別情報を揺動表示し（例えば、ステップＳ２６０１のＹであり、表示結果指定コマンドまたは背景指定コマンドを受信していない場合（ステップＳ２６０２のＮ，Ｓ２６０４のＮ）、ステップＳ２６０８を実行する）、更新手段は、有利状態に制御されているときに、可変表示関連コマンドが正常に受信された場合、所定コマンドが正常に受信されなくても、残余回数を更新する（例えば、ステップＳ２６０１のＹである場合、表示結果指定コマンドおよび背景指定コマンドを受信したか否かにかかわらずステップＳ３００１を実行する）ことを特徴とする。そのような構成によれば、回数の不整合を抑制することができる。また、遊技者に誤解を与えることを抑制することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
（手段２）手段１において、コマンド送信手段は、電源投入時に残余回数を特定可能な回数特定コマンド（例えば、残余回数指定コマンド）を送信し（例えば、Ｓ４６を実行する）、報知手段は、回数特定コマンドの後に可変表示関連コマンドが受信されることにもとづいて、残余回数を報知する（例えば、ステップＳ６７９のＹの後の演出図柄変動開始処理において、ステップＳ３００２を実行する）こととしてもよい。そのような構成によれば、残余回数の報知モジュールの共通化を図ることができる。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
円環状をなし、周方向に１相１極あたり２個の割合で配置された複数のスロット（２１）を有する固定子コア（２０）と、
前記スロットに巻装された３相の相巻線（３１Ｕ，３１Ｖ，３１Ｗ）を有する固定子導線（３０）と、
を備える回転電機の固定子（１３）において、
前記各相巻線は、それぞれ相ごとの並列巻線（Ｕ１，Ｕ２，Ｖ１，Ｖ２，Ｗ１，Ｗ２）が並列接続されてなり、
各相の前記並列巻線はそれぞれ、当該並列巻線を構成する複数の部分巻線のうち電源側に接続される動力線部分巻線（Ｃ１）と、中性点に接続される中性線部分巻線（Ｃ２）と、前記動力線部分巻線と前記中性線部分巻線との中間に位置し、周方向に５スロットピッチで渡る５ピッチ渡り線（６１，６３）及び７スロットピッチで渡る７ピッチ渡り線（６２）の少なくとも片方と、を有し、
前記３相のうち２相については前記５ピッチ渡り線及び前記７ピッチ渡り線が重ねて配置されるとともに、残りの１相については２本の前記５ピッチ渡り線が周方向に互いに離隔するように配置され、前記動力線部分巻線は、同相の前記動力線部分巻線が隣同士になるか、異相の中性線部分巻線が隣になるかのいずれかになっている回転電機の固定子。
【請求項２】
前記３相のうち２相については前記５ピッチ渡り線及び前記７ピッチ渡り線が軸方向に重ねて配置されるとともに、残りの１相については２本の前記５ピッチ渡り線が周方向に互いに離隔するように配置されている請求項１に記載の回転電機の固定子。
【請求項３】
前記固定子コアの端面側のコイルエンド部（４７）において、異相の３本の前記中性線部分巻線が接続される中性線接続部（６５）を２カ所有する請求項１又は２に記載の回転電機の固定子。
【請求項４】
前記固定子コアの端面側のコイルエンド部（４７）において、前記中性線部分巻線のうち同相でかつ隣り合うもの同士が周方向に分散するように延びており、その先端部が前記中性線接続部にて接続されている請求項３に記載の回転電機の固定子。
【請求項５】
各相の前記並列巻線における前記中性線部分巻線について少なくとも２つの異相の前記中性線部分巻線を接続する２本の中性線バスバー（７４，７５）を備え、
前記中性線バスバーは、各々異なる前記中性線部分巻線の組み合わせでかつ両端に全ての相の前記中性線部分巻線が含まれるように前記中性線部分巻線に接続されている請求項１又は２に記載の回転電機の固定子。
【請求項６】
各相の前記並列巻線における前記中性線部分巻線について異なる２相の前記中性線部分巻線を組み合わせてなる複数の巻線端部（７１〜７３）を備え、
前記中性線バスバーは、前記巻線端部同士を接続するものであり、各々異なる前記中性線部分巻線の組み合わせでかつ両端に全ての相の前記中性線部分巻線が含まれるように前記巻線端部に接続されている請求項５に記載の回転電機の固定子。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
底部に連なる管状の凸部を有し、前記凸部は内面側が底部に向かって厚みが増している振動部と、
前記振動部を振動させる振動素子
を備える美容器。
【請求項２】
前記振動部が前記凸部を複数有する請求項１に記載の美容器。
【請求項３】
同心円状に前記振動素子を複数有する請求項１又は請求項２に記載の美容器。
【請求項４】
複数の前記振動素子は、それぞれ振動の周波数が異なる請求項３に記載の美容器。
【請求項５】
複数の前記振動素子は、それぞれ円環形状であり、振動の方向が径方向の振動素子と、振動の方向が厚み方向の振動素子がある請求項３又は４に記載の美容器。
【請求項６】
前記凸部の外周より外側もしくは前記凸部の内周より内側に配置された電極と、
前記電極と前記振動部へ予め定められた周波数の交流電圧を印加する高周波供給部を有する請求項１から請求項５のいずれか一項に記載の美容器。
【手続補正２】
【補正対象書類名】明細書
【補正対象項目名】０００６
【補正方法】変更
【補正の内容】
【０００６】
本発明は、底部に連なる管状の凸部を有し、前記凸部は内面側が底部に向かって厚みが増している振動部と、前記振動部を振動させる振動素子を備える美容器を提供する。
【手続補正３】
【補正対象書類名】明細書
【補正対象項目名】０００８
【補正方法】変更
【補正の内容】
【０００８】
また、本発明においては、同心円状に前記振動素子を複数有する構成であってもよい。
【手続補正４】
【補正対象書類名】明細書
【補正対象項目名】００１１
【補正方法】変更
【補正の内容】
【００１１】
また、本発明においては、複数の前記振動素子は、それぞれ円環形状であり、振動の方向が径方向の振動素子と、振動の方向が厚み方向の振動素子がある構成であってもよい。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
アップリンクマルチユーザ送信の履歴、またはアップリンクマルチユーザ送信の能力の有効または無効の状態に応じて、無線媒体を占有可能な時間の上限を定める第１パラメータの値を変更する制御部
を備えた無線通信装置。
【請求項２】
前記第１パラメータに従って決定される前記無線媒体の占有時間に応じた情報を含む第１フレームを、キャリアセンスに基づき獲得されたアクセス権に基づいて前記無線媒体へ送信する送信部
をさらに備えた請求項１に記載の無線通信装置。
【請求項３】
前記アップリンクマルチユーザ送信を指示する第２フレームを受信する受信部と、
前記第２フレームに応答して、第３フレームを送信する送信部と、を備え、
前記制御部は、前記第３フレームの送信が成功した場合に、前記第１パラメータの値を小さくする
請求項１に記載の無線通信装置。
【請求項４】
前記アップリンクマルチユーザ送信を指示する第２フレームを受信する受信部と、
前記第２フレームに応答して、第３フレームを送信する送信部と、を備え、
前記制御部は、前記第２フレームの受信回数と、前記第３フレームの送信に成功した回数とに基づいて、前記第１パラメータの値を変更する
請求項１に記載の無線通信装置。
【請求項５】
前記制御部は、シングルユーザ送信の履歴をさらに用いて前記第１パラメータの値を変更する
請求項１ないし請求項４のいずれか一項に記載の無線通信装置。
【請求項６】
前記アップリンクマルチユーザ送信を指示する第２フレームを受信する受信部と、
前記第２フレームに応答して、第３フレームを送信する送信部と、を備え、
前記送信部は、前記無線媒体へキャリアセンスに基づき獲得されたアクセス権に基づいて、第４フレームを送信し、
前記第３フレームの送信に成功した回数と、前記第４フレームの送信に成功した回数とに基づいて、前記第１パラメータの値を変更する
請求項１に記載の無線通信装置。
【請求項７】
前記制御部は、前記第１パラメータの値に第１係数を乗じることによって前記第１パラメータの値を小さくする
請求項１ないし請求項６のいずれか一項に記載の無線通信装置。
【請求項８】
前記制御部は、前記第１パラメータの値から、前記第３フレームの長さに応じた値を減算することにより、前記第１パラメータの値を小さくする
請求項３ないし請求項４のいずれか一項に記載の無線通信装置。
【請求項９】
前記アップリンクマルチユーザ送信後の予め定めた時点からの経過時間に応じて、前記第１パラメータの値を変更する
請求項１ないし請求項８のいずれか一項に記載の無線通信装置。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
表示機器に映像データを伝送する情報処理装置であって、
表示機器に出力する映像データの仕様に関する複数項目の設定値をユーザが選択するための出力設定画面を生成する画面生成部と、
出力設定画面においてユーザが選択した設定値を登録する設定登録部と、を備え、
前記画面生成部は、第１項目の設定値と、第２項目の設定値をユーザが選択するための出力設定画面を生成し、第１項目は、ハイダイナミックレンジ出力機能を有効にするための第１値およびハイダイナミックレンジ出力機能を無効にするための第２値を選択可能な設定値として有し、第２項目は、ディープカラー出力機能を有効にするための第３値およびディープカラー出力機能を無効にするための第４値を選択可能な設定値として有するものであって、
ユーザが第１項目に関して第１値を選択すると、前記設定登録部は、第１項目に関して第１値を登録し、且つ第２項目に関して第３値を登録し、
ユーザが第２項目に関して第４値を選択すると、前記設定登録部は、第２項目に関して第４値を登録し、且つ第１項目に関して第２値を登録する、
ことを特徴とする情報処理装置。
【請求項２】
前記設定登録部は、ユーザが第１項目に関して第２値を選択しても、第２項目の設定値を変更せず、
前記設定登録部は、ユーザが第２項目に関して第３値を選択しても、第１項目の設定値を変更しない、
ことを特徴とする請求項１に記載の情報処理装置。
【請求項３】
アプリケーションに設定されているデータ仕様を取得して、取得したデータ仕様と、前記設定登録部が登録した複数項目の設定値とに基づいて、表示機器に出力する映像データの解像度、輝度レンジおよび色深度を決定するパラメータ決定部と、
を備えることを特徴とする請求項１または２に記載の情報処理装置。
【請求項４】
前記パラメータ決定部は、ＨＤＣＰのバージョンを、出力する映像データの解像度に基づいて決定する、
ことを特徴とする請求項３に記載の情報処理装置。
【請求項５】
表示機器に出力する映像データの仕様を設定する方法であって、
表示機器に出力する映像データの仕様に関する複数項目の設定値をユーザが選択するための出力設定画面を生成するステップと、
出力設定画面においてユーザが選択した設定値を登録するステップと、を備え、
出力設定画面の生成ステップは、第１項目の設定値と、第２項目の設定値をユーザが選択するための出力設定画面を生成し、第１項目は、ハイダイナミックレンジ出力機能を有効にするための第１値およびハイダイナミックレンジ出力機能を無効にするための第２値を選択可能な設定値として有し、第２項目は、ディープカラー出力機能を有効にするための第３値およびディープカラー出力機能を無効にするための第４値を選択可能な設定値として有するものであって、
設定値登録ステップは、
ユーザが第１項目に関して第１値を選択すると、第１項目に関して第１値を登録し、且つ第２項目に関して第３値を登録し、
ユーザが第２項目に関して第４値を選択すると、第２項目に関して第４値を登録し、且つ第１項目に関して第２値を登録する、
ことを特徴とする映像仕様設定方法。
【請求項６】
表示機器と接続するコンピュータに、
表示機器に出力する映像データの仕様に関する複数項目の設定値をユーザが選択するための出力設定画面を生成する機能と、
出力設定画面においてユーザが選択した設定値を登録する機能と、を実現させるためのプログラムであって、
出力設定画面の生成機能は、第１項目の設定値と、第２項目の設定値をユーザが選択するための出力設定画面を生成する機能を含み、第１項目は、ハイダイナミックレンジ出力機能を有効にするための第１値およびハイダイナミックレンジ出力機能を無効にするための第２値を選択可能な設定値として有し、第２項目は、ディープカラー出力機能を有効にするための第３値およびディープカラー出力機能を無効にするための第４値を選択可能な設定値として有するものであって、
設定値登録機能は、
ユーザが第１項目に関して第１値を選択すると、第１項目に関して第１値を登録し、且つ第２項目に関して第３値を登録する機能と、
ユーザが第２項目に関して第４値を選択すると、第２項目に関して第４値を登録し、且つ第１項目に関して第２値を登録する機能とを含む、
ことを特徴とするプログラム。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
検査対象が反射するエコー信号を受信する受信部と、
前記受信部により受信された前記エコー信号を処理する信号処理部と、を備え、
前記信号処理部は、
前記検査対象の血管壁面から血管中心へ径方向に並んだ複数の測定点における、前記エコー信号から算出される前記血管壁面に沿った方向の血流速度の値から、血流速度勾配分布を算出する速度勾配分布演算部と、
前記血流速度勾配分布において所定の範囲を算出する範囲特定演算部と、
前記所定の範囲内の測定点における血流速度および血流速度勾配の値から、前記血管壁面における血流速度勾配の推定値を算出する壁面速度勾配演算部と、を備えることを特徴とする超音波撮像装置。
【請求項２】
請求項１に記載の超音波撮像装置において、
前記範囲特定演算部は、前記血流速度勾配分布の形状に基づいて棄却する領域を決定し、前記血流速度勾配分布に対して前記棄却する領域を除いた範囲として、前記所定の範囲を算出することを特徴とする超音波撮像装置。
【請求項３】
請求項２に記載の超音波撮像装置において、
前記範囲特定演算部は、前記血流速度勾配分布において、前記血管壁面から前記血管中心に向かって単調増加から単調減少に転じる点および上に凸から下に凸に転じる変曲点の少なくともいずれかを基準として、前記所定の範囲を算出することを特徴とする超音波撮像装置。
【請求項４】
請求項３に記載の超音波撮像装置において、
前記範囲特定演算部は、前記血管壁面における血流速度勾配の推定に用いる測定点の所定の範囲の境界を、前記血管壁面から前記血管中心に向かって単調増加から単調減少に転じる点とし、
前記壁面速度勾配演算部は、前記境界を含む所定の範囲内の少なくとも1点以上の測定点における血流速度および血流速度勾配の値から、前記血管壁面における血流速度勾配の推定値を算出することを特徴とする超音波撮像装置。
【請求項５】
請求項４に記載の超音波撮像装置において、
前記壁面速度勾配演算部は、前記血管壁面から前記血管中心に向かって単調増加から単調減少に転じる点および前記上に凸から下に凸に転じる変曲点の少なくともいずれかにおける血流速度および血流速度勾配の値から、前記血管壁面における血流速度勾配の推定値を算出することを特徴とする超音波撮像装置。
【請求項６】
請求項１に記載の超音波撮像装置において、
前記信号処理部は、前記壁面速度勾配演算部が算出した前記血管壁面における血流速度勾配の推定値を用いて、前記検査対象の診断指標となる情報を算出する診断指標演算部を備えることを特徴とする超音波撮像装置。
【請求項７】
請求項６に記載の超音波撮像装置において、
前記診断指標演算部は、前記血管壁面の血流速度勾配の推定値から壁面せん断応力を算出する壁面せん断応力演算部であることを特徴とする超音波撮像装置。
【請求項８】
請求項６に記載の超音波撮像装置において、
前記診断指標演算部は、前記血管壁面の血流速度勾配の推定値から血管弾性を算出する血管弾性演算部であることを特徴とする超音波撮像装置。
【請求項９】
請求項６に記載の超音波撮像装置において、
前記診断指標演算部は、前記血管壁面の血流速度勾配の推定値から血液流量を算出する血液流量演算部であることを特徴とする超音波撮像装置。
【請求項１０】
請求項１に記載の超音波撮像装置において、
前記信号処理部で得られた情報を表示する表示部を備え、
前記表示部は、前記速度勾配分布演算部が算出した前記血流速度勾配分布を表示し、
前記範囲特定演算部が算出した所定の範囲を、前記血流速度勾配分布に重ねて表示することを特徴とする超音波撮像装置。
【請求項１１】
請求項１に記載の超音波撮像装置において、
前記信号処理部は、前記エコー信号から前記検査対象の断層画像を形成する断層画像形成部を備え、
前記壁面速度勾配演算部は、前記断層画像から特定される血管壁面の位置情報と、前記範囲特定演算部が算出した所定の範囲内の測定点における血流速度および血流速度勾配の値から、前記血管壁面における血流速度勾配の推定値を算出することを特徴とする超音波撮像装置。
【請求項１２】
請求項６に記載の超音波撮像装置において、
前記信号処理部で得られた情報を表示する表示部を備え、
前記信号処理部は、前記エコー信号から前記検査対象の断層画像を形成する断層画像形成部を備え、
前記表示部は、前記検査対象の診断指標となる情報を前記断層画像に重ねて、空間分布図として表示することを特徴とする超音波撮像装置。
【請求項１３】
請求項６に記載の超音波撮像装置において、
前記検査対象の心拍信号情報を入力する入力部と、
前記入力部および前記信号処理部で得られた情報を表示する表示部と、を備え、
前記表示部は、前記検査対象の診断指標となる情報を前記心拍信号情報とともに時系列変化で表示することを特徴とする超音波撮像装置。
【請求項１４】
超音波撮像装置における演算方法であって、
検査対象が反射するエコー信号から前記検査対象の血管内における超音波照射方向の血流速度成分を抽出する工程と、前記血流速度成分に基づいて、血管壁面から血管中心へ径方向に並んだ複数の測定点における、前記血管壁面に沿った方向の血流速度分布を算出する工程と、
微分演算により前記血流速度分布から血流速度勾配分布を算出する工程と、
前記血流速度勾配分布において所定の範囲を算出する工程と、
前記所定の範囲内の測定点から1点以上の測定点を選択する工程と、
選択された測定点における血流速度および血流速度勾配の値から前記血管壁面における血流速度勾配の推定値を算出する工程と、
を備えることを特徴とする演算方法。
【請求項１５】
請求項１４に記載の演算方法において、
前記選択された測定点における血流速度勾配の値を用いて、前記血管壁面近傍における前記血流速度勾配分布に近似モデルを適用し、前記近似モデルにおける血流速度勾配分布の定積分が前記選択された測定点における血流速度の値と等しくなる関係に基づいて、前記選択された測定点における血流速度および血流速度勾配の値から前記血管壁面における血流速度勾配の推定値を算出することを特徴とする演算方法。
【請求項１６】
請求項１５に記載の演算方法において、
前記血管壁面近傍における前記血流速度勾配分布の近似モデルを1次直線とすることを特徴とする演算方法。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
放熱板と、
前記放熱板上に配置された絶縁基板と、
前記絶縁基板上に配置された半導体素子と、
前記放熱板の上面側、前記絶縁基板および前記半導体素子を囲む樹脂製のケースと、
前記ケースで囲まれた内側の領域に存在する部分を有し、当該部分の一方面にワイヤを介して前記半導体素子と電気的に接続された電極と、
を備え、
前記電極における前記ケースで囲まれた内側の領域に存在する部分において、前記ワイヤが接続された位置の他方面に、前記ケースの内壁から前記放熱板の上面側に延びる樹脂部が配置され、
前記電極における前記ケースで囲まれた内側の領域に存在する部分において、前記ワイヤが接続されていない位置の他方面に、前記樹脂部よりも高い熱伝導特性を有する熱伝導部材が配置された、半導体装置。
【請求項２】
放熱板と、
前記放熱板上に配置された絶縁基板と、
前記絶縁基板上に配置された半導体素子と、
前記放熱板の上面側、前記絶縁基板および前記半導体素子を囲む樹脂製のケースと、
前記ケースで囲まれた内側の領域に存在する部分を有し、当該部分の一方面にワイヤを介して前記半導体素子と電気的に接続された電極と、
を備え、
前記電極における前記ケースで囲まれた内側の領域に存在する部分の他方面は凹凸状に形成され、
前記電極における前記ケースで囲まれた内側の領域に存在する部分の他方面に、前記ケースの内壁から前記放熱板の上面側に延び、かつ、当該部分の他方面に嵌合する凹凸部を有する樹脂部が配置された、半導体装置。
【請求項３】
前記電極は主電極である、請求項２記載の半導体装置。
【請求項４】
前記放熱板および前記絶縁基板に代えて、下部に放熱部を有する絶縁基板を備えた、請求項１から請求項３のいずれか１つに記載の半導体装置。
【手続補正２】
【補正対象書類名】明細書
【補正対象項目名】００１１
【補正方法】変更
【補正の内容】
【００１１】
樹脂製のケース１０は、放熱板１の上面の周縁部に接合され、放熱板１の上面側、絶縁基板４および半導体素子５を囲んでいる。また、ケース１０内には、例えばシリコーンゲル（図示省略）などが充填されている。
【手続補正３】
【補正対象書類名】明細書
【補正対象項目名】００２５
【補正方法】変更
【補正の内容】
【００２５】
以上のように、実施の形態２に係る半導体装置では、電極６，８におけるケース１０で囲まれた内側の領域に存在する部分の下面は凹凸状に形成され、電極６，８におけるケース１０で囲まれた内側の領域に存在する部分の下面に、ケース１０の内壁から放熱板１の上面側に延び、かつ、当該部分の下面に嵌合する凹凸部１０ｃ，１０ｄをそれぞれ有する樹脂部１０ａ，１０ｂがそれぞれ配置された。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
半導体製造工程に由来する濃淡パターンのある濃淡層と、この濃淡層の濃淡パターンを覆う被覆層とを備えたワークにおける被覆層に形成された欠陥を検出する欠陥検出装置であって、
前記ワークに対して照明を行う照明器と、この照明器にて照明された前記ワークの観察部位を観察する撮像装置とを有する観察機構を備え、
前記照明器から照射される照明光は、少なくとも濃淡層から反射し前記撮像装置に入射する光よりも、前記被覆層から反射又は散乱されて撮像装置に入射する光の強度が大きい波長であり、前記濃淡層の濃淡パターンの影響を低くした光であることを特徴とする欠陥検出装置。
【請求項２】
前記被覆層は、有機物層であることを特徴とする請求項１に記載の欠陥検出装置。
【請求項３】
前記照明器の照明光のうち観察される波長が、４５０ｎｍ以下又は１０００ｎｍ以上であることを特徴とする請求項１又は請求項２に記載の欠陥検出装置。
【請求項４】
前記撮像装置は、前記照明器にて照明されたワークの観察部位を上方から観察する暗視野観察を行うものであり、前記ワークの欠陥は、開口部と傾斜面部の少なくともいずれか一方を有し、前記ワークに形成された欠陥の観察画像上の欠陥を大きくする観察を行うことを特徴とする請求項１〜請求項３のいずれか１項に記載の欠陥検出装置。
【請求項５】
前記照明器の照明方向は、撮影軸とワークとが直交するように配置されているときに、ワークと照明軸とのなす角が５０°〜８５°であることを特徴とする請求項４に記載の欠陥検出装置。
【請求項６】
濃淡パターンのある濃淡層と、この濃淡層の濃淡パターンを覆う被覆層とを備えたワークにおける被覆層に形成された欠陥を検出する欠陥検出方法であって、
少なくとも前記濃淡層から反射し撮像装置に入射する光よりも、前記被覆層から反射又は散乱されて撮像装置に入射する光の強度が大きい波長である照明光を、前記ワークに対して照射し、前記濃淡層の濃淡パターンの影響を低くして観察することを特徴とする欠陥検出方法。
【請求項７】
前記請求項６に記載の欠陥検出方法にて欠陥が検出されていない良品であることを特徴とするウェハ。
【請求項８】
前記請求項６に記載の欠陥検出方法にて欠陥が検出されていない良品であることを特徴とする半導体チップ。
【請求項９】
ピックアップポジションにてワークとしての個片体をピックアップし、このピックアップした個片体をボンディングポジョンに搬送して、そのボンディングポジションにてワークをボンディングするダイボンダであって、ピックアップポジションからボンディングポジションのいずれかの位置で、前記請求項１〜請求項５のいずれか１項に記載の欠陥検出装置を配置したことを特徴とするダイボンダ。
【請求項１０】
ピックアップポジション、ボンディングポジション、ピックアップポジションとボンディングポジションとの間の中間ステージの内少なくとも一つでの位置決め検出が可能であることを特徴とする請求項９に記載のダイボンダ。
【請求項１１】
前記請求項６に記載の欠陥検出方法を用いた検査工程を備え、さらに、ウェハを切断して個片化するダイシング工程と、個片化されてなる半導体チップを樹脂で封止するモールド封止工程の少なくともいずれか一方の工程を備えたことを特徴とする半導体製造方法。
【請求項１２】
複数の個片体からなる個片体集合体を備えた半導体装置を製造する半導体装置製造方法であって、
１個の個片体又は所定数の個片体の集合体からなる被対象物と、この被対象物に集合すべき他の個片体の少なくともいずれか一方を前記請求項６に記載の欠陥検出方法を用いて検査することを特徴とする半導体装置製造方法。
【手続補正２】
【補正対象書類名】明細書
【補正対象項目名】発明の名称
【補正方法】変更
【補正の内容】
【発明の名称】欠陥検出装置、欠陥検出方法、ウェハ、半導体チップ、ダイボンダ、半導体製造方法、および半導体装置製造方法
【手続補正３】
【補正対象書類名】明細書
【補正対象項目名】０００１
【補正方法】変更
【補正の内容】
【０００１】
本発明は、ウェハ、このウェハから切断されて個片化されたチップ等のワークに形成されるクラックを検出する欠陥検出装置、欠陥検出方法、ダイボンダに関し、さらには、半導体チップ、半導体製造方法、および半導体装置製造方法に関するものである。
【手続補正書】
【提出日】平成30年2月8日(2018.2.8)
【手続補正１】
【補正対象書類名】特許請求の範囲
【補正対象項目名】請求項１
【補正方法】変更
【補正の内容】
【請求項１】
中空のパイプによって形成される発光ダイオード保持部材と前記発光ダイオード保持部材の延びる方向と所定角度をなす方向に光を射出するために前記発光ダイオード保持部材の外面に配される複数個の発光ダイオードとを有する光射出部と、
前記光射出部を取囲むように延び前記発光ダイオードから射出される前記光を透過する光透過部材によって形成される中空の光射出部発熱閉込部材と、
前記発光ダイオード保持部材に平行して延び植物を育てる複数個の植物載置器を配するための１または複数個の植物栽培部と、
前記光射出部の一端と前記光射出部発熱閉込部材の一端と前記植物栽培部の一端との位置極をする第１の位置極部材、または前記光射出部の他端と前記光射出部発熱閉込部材の他端と前記植物栽培部の他端との位置極をする第２の位置極部材と、を備える植物栽培装置。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
時系列的に収集されたＸ線造影画像データ又はDSA画像データから各画素における造影剤の濃度が特定の条件となる時間を特定する時相特定部と、
前記造影剤の濃度が特定の条件となる時間に対応する色を各画素が有する血管画像データを生成する血管画像生成部と、
を備え、
前記造影剤の濃度が前記特定の条件となる時間に対応する色が循環して変化することにより、前記血管画像生成部は、前記各画素の色が血流に応じた方向に進行する動画像として前記血管画像データを生成する、医用画像処理装置。
【請求項２】
前記血管画像生成部は、前記造影剤の濃度が前記特定の条件となるときの前記造影剤の濃度に応じた輝度値を有する血管画像データを生成するように構成される請求項１に記載の医用画像処理装置。
【請求項３】
前記血管画像生成部は、前記造影剤の濃度が最大値、前記最大値の所定の割合又は前記濃度に対する閾値となる時間を前記特定の条件となる時間として前記血管画像データを生成するように構成される請求項１又は２に記載の医用画像処理装置。
【請求項４】
Ｘ線画像を収集する画像収集系と、
前記画像収集系に基づいて時系列的に収集されたＸ線造影画像データ又はDSA画像データから各画素における造影剤の濃度が特定の条件となる時間を特定する時相特定部と、
前記造影剤の濃度が特定の条件となる時間に対応する色を各画素が有する血管画像データを生成する血管画像生成部と、
を備え、
前記造影剤の濃度が前記特定の条件となる時間に対応する色が循環して変化することにより、前記血管画像生成部は、前記各画素の色が血流に応じた方向に進行する動画像として前記血管画像データを生成する、Ｘ線診断装置。
【請求項５】
コンピュータを、
時系列的に収集されたＸ線造影画像データ又はDSA画像データから各画素における造影剤の濃度が特定の条件となる時間を特定する時相特定部、及び、
前記造影剤の濃度が特定の条件となる時間に対応する色を各画素が有する血管画像データを生成する血管画像生成部、
として機能させるプログラムであって、
前記造影剤の濃度が前記特定の条件となる時間に対応する色が循環して変化することにより、前記血管画像生成部は、前記各画素の色が血流に応じた方向に進行する動画像として前記血管画像データを生成する、医用画像処理プログラム。
【手続補正２】
【補正対象書類名】明細書
【補正対象項目名】０００７
【補正方法】変更
【補正の内容】
【０００７】
本発明の実施形態に係る医用画像処理装置は、時相特定部と、血管画像生成部とを備える。時相特定部は、時系列的に収集されたＸ線造影画像データ又はDSA画像データから各画素における造影剤の濃度が特定の条件となる時間を特定する。血管画像生成部は、前記造影剤の濃度が特定の条件となる時間に対応する色を各画素が有する血管画像データを生成する。前記造影剤の濃度が前記特定の条件となる時間に対応する色が循環して変化することにより、前記血管画像生成部は、前記各画素の色が血流に応じた方向に進行する動画像として前記血管画像データを生成する。
また、本発明の実施形態に係るＸ線診断装置は、画像収集系、時相特定部及び血管画像生成部を備える。画像収集系は、Ｘ線画像を収集する。時相特定部は、前記画像収集系に基づいて時系列的に収集されたＸ線造影画像データ又はDSA画像データから各画素における造影剤の濃度が特定の条件となる時間を特定する。血管画像生成部は、前記造影剤の濃度が特定の条件となる時間に対応する色を各画素が有する血管画像データを生成する。前記造影剤の濃度が前記特定の条件となる時間に対応する色が循環して変化することにより、前記血管画像生成部は、前記各画素の色が血流に応じた方向に進行する動画像として前記血管画像データを生成する。
また、本発明の実施形態に係る医用画像処理プログラムは、コンピュータを、時相特定部及び血管画像生成部として機能させる。時相特定部は、時系列的に収集されたＸ線造影画像データ又はDSA画像データから各画素における造影剤の濃度が特定の条件となる時間を特定する。血管画像生成部は、前記造影剤の濃度が特定の条件となる時間に対応する色を各画素が有する血管画像データを生成する。前記造影剤の濃度が前記特定の条件となる時間に対応する色が循環して変化することにより、前記血管画像生成部は、前記各画素の色が血流に応じた方向に進行する動画像として前記血管画像データを生成する。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
化粧品を外部へ排出させる排出手段と、
前記化粧品が排出される前記排出手段の一側に具備された吐出板であって、複数の吐出口を具備する吐出板と、を含む化粧品容器であって、
前記吐出板の前記複数の吐出口を通って化粧品が排出され、外部へ露出される前記吐出板の一面に薄膜が形成されることを特徴とする化粧品容器。
【請求項２】
前記薄膜が、前記吐出板の一面における前記複数の吐出口の間の部分を覆うことを特徴とする、請求項１に記載の化粧品容器。
【請求項３】
前記薄膜が、前記吐出口と連通する孔を含み、前記孔を通って前記化粧品が排出されるようになっていることを特徴とする、請求項１に記載の化粧品容器。
【請求項４】
前記薄膜は、前記吐出板よりも薄い厚さを有することを特徴とする、請求項１に記載の化粧品容器。
【請求項５】
前記薄膜が、１マイクロメートルから５０マイクロメートルの範囲の厚さを有することを特徴とする、請求項１に記載の化粧品容器。
【請求項６】
前記薄膜が、金、銀、ブロンズ、銅、クロム、ホログラムを含む群から選択された少なくとも１つの材質を含むことを特徴とする、請求項１に記載の化粧品容器。
【請求項７】
前記吐出板が、非金属材質からなることを特徴とする、請求項１に記載の化粧品容器。
【請求項８】
前記化粧品が、前記吐出板を加圧することによって前記排出手段から排出されることを特徴とする、請求項１に記載の化粧品容器。
【請求項９】
前記化粧品容器が、前記吐出板の一面に具備された外板をさらに備え、前記吐出板の一面から前記化粧品が前記吐出口を通って排出されることを特徴とする、請求項１に記載の化粧品容器。
【請求項１０】
前記外板が、前記吐出口に連通する孔を含み、前記孔を通って前記化粧品が排出されるようになっていることを特徴とする、請求項９に記載の化粧品容器。
【請求項１１】
前記吐出口と前記排出手段の出口とがずれていることを特徴とする、請求項１に記載の化粧品容器。
【請求項１２】
前記排出手段と前記吐出板との間に設けられて前記化粧品を前記吐出口へ分配する拡散部と、
前記吐出板と前記拡散部とを固定しながら前記吐出板に伴って下方へ移動する縁部と、
をさらに備えることを特徴とする、請求項１に記載の化粧品容器。
【請求項１３】
前記縁部が、前記吐出板の縁を取り囲んで前記拡散部に結合されることを特徴とする、請求項１２に記載の化粧品容器。
【請求項１４】
前記縁部が、前記吐出板と一体に設けられていることを特徴とする、請求項１２に記載の化粧品容器。
【請求項１５】
前記拡散部が、前記化粧品が前記拡散部の外側へ漏出することを防止するためのパッキング材を備えることを特徴とする、請求項１２に記載の化粧品容器。
【請求項１６】
前記縁部が、
前記吐出板と前記拡散部とを固定しながら前記吐出板に伴って下方へ動く内側縁部と、
前記内側縁部の外側に設けられた外側縁部と、
を備え、
前記外側縁部が、前記内側縁部の回転を制限すると共に前記内側縁部の昇降を許容し、前記内側縁部の外側を取り囲むことを特徴とする、請求項１２に記載の化粧品容器。
【請求項１７】
前記内側縁部の回転を制限すると共に前記内側縁部の昇降を許容するために、前記外側縁部の内面および前記内側縁部の外面に歯が形成されていることを特徴とする、請求項１６に記載の化粧品容器。
【請求項１８】
前記排出手段が、エアレスポンプであって、シリンダ内でピストンを上下に動かすことによって前記エアレスポンプの中に受け入れた前記化粧品を出口へ吐出するためのエアレスポンプであることを特徴とする、請求項１に記載の化粧品容器。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
待機位置および進出位置に移動可能な可動物と、
前記遊技機が起動されたときに、前記可動物を第１移動量で動作させる第１動作と、前記第１動作を実行させる前に前記可動物を前記第１移動量よりも少ない第２移動量で動作させる第２動作とを実行させる制御手段とを備える、遊技機。
【請求項２】
前記第２動作で前記可動物の動作に異常が検出された場合、エラー処理を実行するエラー処理手段をさらに備える、請求項１に記載の遊技機。
【手続補正２】
【補正対象書類名】明細書
【補正対象項目名】０００６
【補正方法】変更
【補正の内容】
【０００６】
（１）  遊技を行なうことが可能な遊技機（たとえば、パチンコ遊技機１、スロットマシン）であって、
待機位置（たとえば、図８，図９で示す第１位置）および進出位置（たとえば、図８，図９で示す第２位置）に移動可能な可動物（たとえば、可動部材３２１）と、
前記遊技機が起動されたときに、前記可動物を第１移動量で動作させる第１動作（たとえば、図１６のステップＳ５１Ｂの可動部材初期化処理における初期動作）と、前記第１動作を実行させる前に前記可動物を前記第１移動量よりも少ない第２移動量で動作させる第２動作（たとえば、図１６のステップＳ５１Ａ，図１８の可動部材慣らし処理における動作）とを実行させる制御手段（たとえば、演出制御用ＣＰＵ１２０）とを備える。